【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
螺旋状組織アンカーを受け取るように寸法を決められているハブを有する、インプラントと、
前記螺旋状組織アンカーと、
トルクシャフトの解放可能な係合のための、前記螺旋状組織アンカー上の第1の係合構造体と、
前記螺旋状組織アンカーを係合させるための、前記トルクシャフト上の第2の係合構造体と
を備える固定システムであって、
前記トルクシャフトは、回転することにより、前記螺旋状組織アンカーを組織内に押し込むとともに前記インプラントを組織に固定するように構成される、固定システム。
【請求項２】
前記螺旋状組織アンカーは、内部を貫通する開口を有する肩部を備える、請求項1に記載の固定システム。
【請求項３】
前記第1の係合構造体は開口であり、前記第2の係合構造体は突出部である、請求項1または2に記載の固定システム。
【請求項４】
前記突出部は、前記開口内に、および前記開口から外に、横方向移動可能である、請求項3に記載の固定システム。
【請求項５】
前記突出部は、前記トルクシャフト内の細長要素の軸方向移動に応答して、前記開口内、および前記開口から外に横方向移動可能である、請求項3に記載の固定システム。
【請求項６】
前記ハブは、クロスピンを備え、前記クロスピンは、前記螺旋状組織アンカーの螺旋状構造体が巻き付き得る部位を形成するように構成される、請求項1〜5のいずれか一項に記載の固定システム。
【請求項７】
前記螺旋状組織アンカーは、X線透視マーカーを備える、請求項1〜6のいずれか一項に記載の固定システム。
【請求項８】
前記インプラントは、接合補助本体部を備え、前記接合補助本体部は、第1の接合面を備え、前記接合補助本体部は、前記第1の接合面と反対側の第2の接合面を備え、前記第1の接合面および前記第2の接合面は、第1の側縁、第2の側縁、下縁、および上縁によって境界を接する、請求項1〜7のいずれか一項に記載の固定システム。
【請求項９】
前記インプラントは、形状記憶材料の支持構造体を備える、請求項1〜8のいずれか一項に記載の固定システム。
【請求項１０】
前記インプラントは、支持構造体(505)を備え、前記支持構造体(505)は、受動的フックを備える、請求項1〜9のいずれか一項に記載の固定システム。
【請求項１１】
螺旋状アンカーを備える交連固定をさらに備える、請求項1〜10のいずれか一項に記載の固定システム。
【請求項１２】
複数の内腔を有する送達用カテーテルをさらに備え、前記内腔は、個別のトルクをかけることができる駆動シャフトを運ぶように構成される、請求項1〜11のいずれか一項に記載の固定システム。
【請求項１３】
各駆動シャフトは、前記螺旋状組織アンカー上に、または前記ハブ上に係止され得る、請求項12に記載の固定システム。
【請求項１４】
操縦可能なカテーテルをさらに備え、前記インプラントは、心室突出部の遠位端が心室組織に結合されるまで前記操縦可能なカテーテルの経路に従うように適合されている、請求項1〜10のいずれか一項に記載の固定システム。
【請求項１５】
前記インプラントは、第1のセクションおよび第2のセクションを有する支持構造体を備え、前記第1のセクションは、接合補助本体部の上縁と下縁との間の位置から延在し、前記第2のセクションは、第1の側縁と第2の側縁との間の前記接合補助本体部の少なくとも一部を貫通して延在する、請求項1〜14のいずれか一項に記載の固定システム。
【請求項１６】
ハブを備えるインプラントと、
螺旋状組織アンカーであって、前記ハブが前記螺旋状組織アンカーを受け取るように寸法を決められている、螺旋状組織アンカーと
を備える固定システムであって、
前記螺旋状組織アンカーは、トルクシャフトの解放可能な係合のための、第1の係合構造体を備え、
前記トルクシャフトは、前記螺旋状組織アンカーに係合するための、第2の係合構造体を備え、
前記トルクシャフトは、前記螺旋状組織アンカーを前記ハブに対して回転させて組織内に入れ込むように構成され、前記螺旋状組織アンカーは、前記インプラントを組織に固定するように構成される、固定システム。
【請求項１７】
前記螺旋状組織アンカーは、肩部を備え、前記肩部は、前記第1の係合構造体を備える、請求項16に記載の固定システム。
【請求項１８】
前記第1の係合構造体は開口であり、前記第2の係合構造体は突出部である、請求項16に記載の固定システム。
【請求項１９】
前記突出部は、前記開口内に、および前記開口から外に、横方向移動可能である、請求項18に記載の固定システム。
【請求項２０】
前記突出部は、前記トルクシャフト内の細長要素の軸方向移動に応答して、前記開口内、および前記開口から外に横方向移動可能である、請求項18に記載の固定システム。
【請求項２１】
前記ハブは、クロスピンを備え、前記クロスピンは、前記螺旋状組織アンカーの螺旋状構造体が巻き付くように構成された部位を形成するように構成される、請求項16に記載の固定システム。
【請求項２２】
前記螺旋状組織アンカーは、X線透視マーカーを備える、請求項16に記載の固定システム。
【請求項２３】
前記インプラントは、接合補助本体部を備え、前記接合補助本体部は、第1の接合面と、前記第1の接合面と反対側の第2の接合面とを備え、前記第1の接合面および前記第2の接合面は、第1の側縁、第2の側縁、下縁、および上縁によって境界を接する、請求項16に記載の固定システム。
【請求項２４】
前記インプラントは、形状記憶材料を含む支持構造体を備える、請求項16に記載の固定システム。
【請求項２５】
前記インプラントは、1つ以上の受動的フックを備える、請求項16に記載の固定システム。
【請求項２６】
1つ以上の螺旋状交連アンカーをさらに備える、請求項16に記載の固定システム。
【請求項２７】
複数の内腔を有する送達用カテーテルをさらに備え、前記内腔は、個別のトルクシャフトを運ぶように構成される、請求項16に記載の固定システム。
【請求項２８】
操縦可能なカテーテルをさらに備え、前記インプラントは、前記操縦可能なカテーテルの経路に従うように適合されている、請求項16に記載の固定システム。
【請求項２９】
前記トルクシャフトをさらに備える、請求項16に記載の固定システム。
【請求項３０】
前記ハブは、1つ以上のストラットと一体的に形成され、前記1つ以上のストラットは、前記ハブから外側へ延在する、請求項16に記載の固定システム。
【請求項３１】
前記ハブは、アンカーハブである、請求項16に記載の固定システム。
【請求項３２】
アンカーハブを備えるインプラントと、
前記アンカーハブから遠位側に延在するように構成された螺旋状組織アンカーと、
トルクシャフトの解放可能な係合のための、前記螺旋状組織アンカー上の第1の係合構造体と
を備える固定システムであって、
前記トルクシャフトは、前記螺旋状組織アンカーに係合するための、第2の係合構造体を備え、
前記トルクシャフトは、回転することにより、前記螺旋状組織アンカーを組織内に押し込むとともに前記インプラントを組織に固定するように構成される、固定システム。
【請求項３３】
前記アンカーハブは、1つ以上のストラットと一体的に形成され、前記1つ以上のストラットは、前記アンカーハブから外側へ延在する、請求項32に記載の固定システム。
【請求項３４】
前記インプラントは、接合補助本体部を備え、前記接合補助本体部は、第1の接合面と、前記第1の接合面と反対側の第2の接合面とを備え、前記第1の接合面および前記第2の接合面は、第1の側縁、第2の側縁、下縁、および上縁によって境界を接する、請求項32に記載の固定システム。
【請求項３５】
前記インプラントは、形状記憶材料を含む支持構造体を備える、請求項32に記載の固定システム。